(57)【要約】【課題】航空機乗員がモニタ画面から目を離している場合においても、海面に浮遊する小目標の検出に関する捜索支援情報を乗員に伝えるための手段を提供する。【解決手段】航空機に搭載された赤外線撮像装置等を用いて、航路上に沿ってスキャニングしながら海面に浮遊する小目標を捜索する海面上の小目標捜索支援方法において、目標抽出処理部１５で算出した小目標の位置と航空機の位置の距離差に応じて、音信号変換部１８により音の強弱や間隔の変動を用いてヘッドフォン１９に音の信号を出力し、乗員が赤外線撮像装置１０のモニタ１３の画面を見ていないときでも捜索対象とする小目標が航空機の近傍にあることを乗員に知らせる。【選択図】図１
2008032650.tif 000002
【特許請求の範囲】
【請求項１】
航空機に搭載された装置を用いて、航路上に沿ってスキャニングしながら海面に浮遊する小目標を捜索する海面上の小目標捜索支援方法において、
前記装置と接続された出力装置により、小目標の位置と前記航空機の位置との距離差に応じて音の強弱及び間隔のいずれかまたは両方を変化させて出力することを特徴とする海面上の小目標捜索支援方法。
【請求項２】
航空機に搭載された装置を用いて、航路上に沿ってスキャニングしながら海面に浮遊する小目標を捜索する海面上の小目標捜索支援方法において、
前記装置と接続された出力装置により、小目標の位置と前記航空機との位置の距離差に応じて振動の強弱及び間隔のいずれかまたは両方を変化させて出力することを特徴とする海面上の小目標捜索支援方法。
【請求項３】
航空機に搭載された装置を用いて、航路上に沿ってスキャニングしながら海面に浮遊する小目標を捜索する海面上の小目標捜索支援方法において、
前記装置と接続された出力装置により、小目標の位置と前記航空機との位置の距離差に応じて光の強弱及び点滅間隔のいずれかまたは両方を変化させて出力することを特徴とする海面上の小目標捜索支援方法。
【発明の詳細な説明】
【技術分野】
【０００１】
本発明は海面に浮遊した小目標を上空から航空機等に搭載された赤外線撮像装置で撮像して航空機等の乗員が捜索を行う海面上の小目標捜索支援方法に関する。
【背景技術】
【０００２】
図１０は航空機に搭載された一般的な赤外線撮像装置のモニタ画面を示す図である。夜間等に海面に浮遊する小目標の捜索にあたっては、航空機に搭載された赤外線撮像装置で撮像した画像を乗員が、図１０全体に示すモニタ画面１００を目視し捜索対象となっている小目標の存在の有無を判定して小目標の捜索活動を行っている。撮像画像の他にモニタ画面１００上に表示される付加情報例として、日時に関する情報が表示領域１０１に、機体に関する情報が表示領域１０２に、赤外線撮像装置（以下、カメラと記す）に関する情報が表示領域１０３に表示される。表示領域１０４には航空機に搭載されたカメラと撮像画面中心までの距離が海里（ＮＭ：Ｎａｕｔｉｃａｌ  Ｍｉｌｅ）の単位で示される。
【０００３】
航空機に固定されたカメラは初期状態で初期値（例えば、航空機の真下）に向けられており、このときカメラの左右旋回角度を示すマーク１０５およびカメラの上下旋回角度を示すマーク１０６はそれぞれ目盛１０７および１０８の略中央にある。カメラを左右に旋回させるとマーク１０５は目盛１０７上を左右に移動する。カメラを上下に旋回させるとマーク１０６は目盛１０８上を上下に移動する。
【０００４】
モニタ画面１００上には小目標に関する付加情報は表示されていない。このため、乗員は機内のモニタ画面１００を目視して小目標の存在の有無を判定し、判定後に実際に機外の海面を直接目視して小目標を捜索しなおすといった動作を繰り返し行っている。そのため、捜索に時間がかかっているのが現状である。
【０００５】
特許文献１に記載の発明は、捜索レーダのレーダエコーから特定の目標を識別し、強調表示する機能を備えた捜索レーダシステムおよび捜索レーダシステムの目標表示方法に関し、レーダエコーの表示画面上における特定の目標について、その目標位置をエコーの特徴とともに明確にレーダオペレータに提示するものである。具体的には、目標のエコーに対して輝度情報に加え予め設定された色指定情報に従い色情報を付加して画像処理を行い、色情報が付加された目標のエコーを他のエコーと合成し、カラーモニタに表示する。
【０００６】
【特許文献１】特開２００１−２７２４５６号公報（段落[００１４]〜[００２８]、図１、図２および要約書参照）
【発明の開示】
【発明が解決しようとする課題】
【０００７】
しかしながら、特許文献１に記載の捜索レーダシステムおよび捜索レーダシステムの目標表示方法、あるいは上述した従来技術による海面に浮遊する小目標の捜索方法では、モニタ画面に捜索対象らしき小目標が多数映し出され刻一刻と変動する場合に、乗員はモニタ画面を見てそれらすべてに対して捜索対象らしさを自己判定し、その度合いの高そうなものの捜索を行っている。そのため、捜索中はモニタ画面を注視する必要があり、航空機の操縦に関する操作（計器類の確認，スイッチ類の操作等）に専念出来ないだけでなく、逆に操縦中はモニタ画面を見ることができず捜索活動に専念出来ないという問題がある。
【０００８】
また、このような状況においては、航空機乗員がモニタ画面から目を離している時に目標検出情報がモニタ画面に表示されたとしても見落としてしまう恐れがあるという問題がある。
【０００９】
したがって、本発明は上述した問題を解決し、航空機乗員がモニタ画面から目を離している場合においても、目標検出に関する情報を乗員に伝えるための手段を提供することを目的とする。
【課題を解決するための手段】
【００１０】
上記目的を達成する本発明の第一形態による海面上の小目標捜索支援方法は、航空機に搭載された装置を用いて、航路上に沿ってスキャニングしながら海面に浮遊する小目標を捜索する海面上の小目標捜索支援方法において、前記装置と接続された出力装置により、小目標の位置と前記航空機の位置との距離差に応じて音の強弱及び間隔のいずれかまたは両方を変化させて出力することを特徴とする。
【００１１】
上記目的を達成する本発明の第二形態による海面上の小目標捜索支援方法は、航空機に搭載された装置を用いて、航路上に沿ってスキャニングしながら海面に浮遊する小目標を捜索する海面上の小目標捜索支援方法において、前記装置と接続された出力装置により、小目標の位置と前記航空機との位置の距離差に応じて振動の強弱及び間隔のいずれかまたは両方を変化させて出力することを特徴とする。
【００１２】
上記目的を達成する本発明の第三形態による海面上の小目標捜索支援方法は、航空機に搭載された装置を用いて、航路上に沿ってスキャニングしながら海面に浮遊する小目標を捜索する海面上の小目標捜索支援方法において、前記装置と接続された出力装置により、小目標の位置と前記航空機との位置の距離差に応じて光の強弱及び点滅間隔のいずれかまたは両方を変化させて出力することを特徴とする。
【発明の効果】
【００１３】
本発明の第一形態によれば、音による本捜索乗員支援方法を適用することにより、従来乗員が操縦操作等でモニタ画面を見ていないときに見逃していた捜索対象の有無を知ることができる。
【００１４】
本発明の第一形態では、航空機内は騒音が大きいので、音による乗員への通知では騒音によりかき消される場合がある。このような場合の他の手段として、本発明の第二形態によれば、乗員に振動パッド等による通知をすることにより、乗員が操縦操作等でモニタ画面を見ていないときや騒音時に見落としていた捜索対象の有無を知ることができる。
【００１５】
本発明の第三形態によれば、乗員が操縦操作等に見ている計器類等の視野内にあるＬＥＤ等を点灯または点滅させることにより、乗員に通知をすることで、乗員が操縦操作等でモニタ画面を見ていないときに見逃していた捜索対象の有無を知ることができる。
【発明を実施するための最良の形態】
【００１６】
以下、添付図面を参照しつつ本発明の実施形態を詳細に説明する。
図１は本発明の第１実施形態に係る赤外線撮像装置の概略ブロック構成図である。回転翼機、固定翼機等の航空機に搭載された図１全体に示す赤外線撮像装置１０では撮像部１１により得られた画像信号を信号処理部１２内で補正処理を行い、重畳処理部１６で補正処理した画像信号と機体情報等とを重畳し、画像調整部１７で画像化処理を行い、モニタ１３の画面に表示している。補正処理部１４で補正処理を実施した後に、目標抽出処理部１５で二値化処理、エッジ抽出、特徴抽出、パターンマッチング等の一般的な目標抽出処理を実施する。
【００１７】
本発明は小目標と機体(撮像装置搭載機)との距離差に応じて下記のように出力する。
第１実施形態では、音（近いほど大きい音、間隔の短い音）を出力する。
第２実施形態では、振動（近いほど大きな振動、間隔の短い振動）を出力する。
第３実施形態では、光（近いほど明るい光、間隔の短い光）を出力する。
【００１８】
再び図１に戻る。信号処理部１２における目標抽出処理部１５の目標抽出処理において小目標と機体(撮像装置搭載機)との距離差を算出し、音信号変換部１８は算出された距離差に応じて、その距離差が近いほど大きい音または間隔の短い音をヘッドフォン等に出力する。しかるに、目標抽出処理部１５では小目標の捜索対象らしさの度合いを判定し、音信号変換部１８は目標抽出処理で得られた小目標の捜索対象らしさの度合いに対応して音信号の強弱や間隔を変動させる音変換処理を行ってもよい。このように、乗員が装着しているヘッドフォン１９等を介して音が乗員に伝えられるので、乗員がモニタ画面を見ていなくても小目標の捜索に支障はない。
【００１９】
距離差または捜索対象らしさの度合いに基づいて音信号の強弱や間隔を変動させるに当たっては、予め距離差（または捜索対象らしさの度合い）と音の強さ（または間隔）とを対応づけて設定したテーブルを、音信号変換部１８がアクセス可能な記憶装置に記憶させ、該テーブルを参照することで出力すべき音信号の強弱や間隔を求めることもできる。なお、どの程度の距離差（または捜索対象らしさの度合い）をどの程度の音の強さ（または間隔）と対応付けるかは、本装置の利用者が適宜設計できる。また、音の変化は対象物と機体との距離差だけではなく、赤外線撮像装置が検出した、対象物と対象物周囲（例えば海面）との温度差に基づいて変化させてもよい。
【００２０】
また、音信号変換部１８による音変換処理は、プログラムによって表現され、コンピュータにロードされることでコンピュータに該処理を実行させるように構成してもよい。また、信号処理部１２内のその他の処理も同様にコンピュータにプログラムを実行させるよう構成してもよい。
【００２１】
図２は本発明の第２実施形態に係る赤外線撮像装置の概略ブロック構成図である。
信号処理部２２における目標抽出処理部２５の目標抽出処理において、小目標と機体(撮像装置搭載機)との距離差を算出し、振動信号変換部２８は算出された距離差に応じて、その距離差が近いほど大きな振動、間隔の短い振動を振動パッド等に出力する。しかるに、目標抽出処理部２５では小目標の捜索対象らしさの度合いを判定し、振動信号変換部２８は目標抽出処理で得られた小目標の捜索対象らしさの度合いに対応して振動の強弱や間隔を変動させる振動変換処理を行ってもよい。このように、乗員に装着された振動パッド２９等を介して振動が乗員に伝えられるので、乗員がモニタ画面を見ていなくても小目標の捜索に支障はない。
【００２２】
距離差または捜索対象らしさの度合いに基づいて振動の強弱や間隔を変動させるに当たっては、予め距離差（または捜索対象らしさの度合い）と振動の強弱（または間隔）とを対応づけて設定したテーブルを、振動信号変換部２８がアクセス可能な記憶装置に記憶させ、該テーブルを参照することで出力すべき振動信号の強弱や間隔を求めることもできる。なお、どの程度の距離差（または捜索対象らしさの度合い）をどの程度の振動の強弱（または間隔）と対応付けるかは、本装置の利用者が適宜設計できる。また、振動の強弱（または間隔）の変化は対象物と機体との距離差だけではなく、赤外線撮像装置が検出した、対象物と対象物周囲（例えば海面）との温度差に基づいて変化させてもよい。
【００２３】
また、振動信号変換部２８による振動変換処理は、プログラムによって表現され、コンピュータにロードされることでコンピュータに該処理を実行させるよう構成してもよい。また信号処理部２２内のその他の処理部も同様にコンピュータにプログラムを実行させるよう構成してもよい。
【００２４】
図３は本発明の第３実施形態に係る赤外線撮像装置の概略ブロック構成図である。
信号処理部３２における目標抽出処理部３５の目標抽出処理において小目標と機体(撮像装置搭載機)との距離差を算出し、光信号変換部３８は算出された距離差に応じて、その距離差が近いほど明るい光または間隔の短い光を出力する。しかるに、目標抽出処理部３５では小目標の捜索対象らしさの度合いを判定し、光信号変換部３８は目標抽出処理で得られた小目標の捜索対象らしさの度合いに対応して光の強弱や間隔を変動させる光変換処理を行ってもよい。このように、乗員の視界にある計器類に設置されたＬＥＤ３９等を介して光信号が乗員に伝えられるので、乗員がモニタ画面を見ていなくても小目標の捜索に支障はない。
【００２５】
距離差または捜索対象らしさの度合いに基づいて光の強弱や間隔を変動させるに当たっては、予め距離差（または捜索対象らしさの度合い）と光の強弱（または間隔）とを対応づけて設定したテーブルを、光信号変換部３８がアクセス可能な記憶装置に記憶させ、該テーブルを参照することで出力すべき光信号の強弱や間隔を求めることもできる。なお、どの程度の距離差（または捜索対象らしさの度合い）をどの程度の光の強弱（または間隔）と対応付けるかは、本装置の利用者が適宜設計できる。また、光の強弱（または間隔）の変化は対象物と機体との距離差だけではなく、赤外線撮像装置が検出した、対象物と対象物周囲（例えば海面）との温度差に基づいて変化させてもよい。
【００２６】
また、光信号変換部３８による光変換処理は、プログラムによって表現され、コンピュータにロードされることでコンピュータに該処理を実行させるよう構成してもよい。また信号処理部３２内のその他の処理部も同様にコンピュータにプログラムを実行させるよう構成してもよい。
【００２７】
図４は本発明の第１〜３実施形態に係る赤外線撮像装置における信号処理部によるカラーモニタ画面の表示処理の第１具体例を説明するブロック構成図である。図４全体に示す赤外線撮像装置４０では、撮像部４１により得られた画像信号に信号処理部４２内で補正処理を行い、重畳処理部４６で補正処理部４４の出力と後述するシンボル割付処理部４５Ａの出力と日時、機体および装置の情報等とを重畳し、画像調整部４７で重畳処理部４６からの出力の画像化処理を行い、画像調整部４７から出力された画像データをモニタ４３の画面に表示している。補正処理部４４で補正処理を実施した後に、目標抽出処理部４５で二値化処理、エッジ抽出、特徴抽出、パターンマッチング等の一般的な目標抽出処理が実施される。
【００２８】
目標抽出処理部４５で目標抽出処理を実施して得られた小目標に対して、シンボル割付処理部４５Ａではそのときに得られた捜索対象らしさの度合い（例えば、ある閾値に対してどれ位上回っているか、あるパターンにどれ位似ているか等）を用いて、その度合いのレベルに応じてシンボル割付処理部４５Ａで予め割り当てられた色および/または形状の異なるシンボルを割り振るシンボル割付処理を実施して、重畳処理部４６による重畳処理にて補正処理部４４の出力画像信号と日時、機体および装置の情報等と、シンボル割付処理部４５Ａからの出力とを重畳し、小目標近傍にそれぞれのシンボル情報を付してカラーモニタ４３の画面上に表示する。
【００２９】
次に、モニタ画面に乗員の負荷軽減を図る情報を重畳表示する方法について説明する。
図５は図４に示すモニタ画面で捜索を行う乗員の負荷を軽減するためのカラー表示の例を示す図であり、（Ａ）は小目標の捜索対象らしさの度合いが高い程円の大きさが大きく表示される例を示す図であり、（Ｂ）は小目標の捜索対象らしさの度合いが高い程棒の長さが長く表示される例を示す図であり、（Ｃ）は小目標の捜索対象らしさの度合いが数値で表示される例を示す図である。図５の（Ａ）〜（Ｃ）においてＲは赤、Ｙは黄、Ｌは青を意味し、形状（円、バー（棒））および数値がこれらの色で画面上に表示される。
【００３０】
図５の（Ａ）および図５の（Ｂ）の表示例では、小目標の捜索対象らしさの度合いが高い順に赤→黄→青で表すとともに、形状（円、バー（棒））も度合いの高い順にシンボルの大きさ（/長さ）を大（/長）→中→小（/短）で表している。
図５の（Ｃ）の表示例では、小目標の捜索対象らしさの度合いが高い順に赤→黄→青で表すとともに、数値（８１、７５、５３、４６、３７）で表している。
【００３１】
図６は図４に示すモニタ画面で捜索を行う乗員の負荷を軽減するための白黒表示の例を示す図であり、（Ａ）は小目標の捜索対象らしさの度合いが高い程円の大きさが大きく表示される例を示す図であり、（Ｂ）は小目標の捜索対象らしさの度合いが高い程棒の長さが長く表示される例を示す図であり、（Ｃ）は小目標の捜索対象らしさの度合いを数値で表示される例を示す図である。図７は図４に示すモニタ画面で捜索を行う乗員の負荷を軽減するための白黒表示の例を示す図であり、小目標の捜索対象らしさの度合いが異なる形状で表示される例を示す図である。
【００３２】
白黒モニタ画面では、図５を用いて説明したカラーモニタ画面の様な捜索対象らしさの度合いに対応した色分けによる表示は不可能なため、形状や数値のみによる表示を行う。
図６の（Ａ）および図６の（Ｂ）に示す表示例では、小目標の捜索対象らしさの度合いが高い順にシンボルの大きさを大（/長さ）→小（/短）で表している。
図６の（Ｃ）に示す表示例では、小目標の捜索対象らしさの度合いを数値（８８、７２、６３、５１、３３）で表している。
図７に示す表示例では、小目標の捜索対象らしさの度合いを種々の異なる形状で表している。
【００３３】
上記モニタ画面に乗員の負荷軽減を図る情報を重畳表示によれば、捜索乗員支援表示をすることにより、従来のモニタ表示画面にはなかった捜索対象情報が重畳されることで乗員がモニタ画面を見て捜索対象らしき小目標があるときだけ機外を見れば良いことになるので、捜索活動の効率化を図ることができる。
【００３４】
図８は本発明の第１〜３実施形態に係る赤外線撮像装置における信号処理部によるモニタ画面の表示処理の第２具体例を説明するブロック構成図である。図８全体に示す赤外線撮像装置８０では、撮像部８１により得られた画像信号に信号処理部８２内で補正処理を行い、重畳処理部８６で補正処理部８４の出力と後述するシンボル割付処理部８５Ａの出力と日時、機体および装置の情報等とを重畳し、画像調整部８７で重畳処理部８６から出力された画像データの画像化処理を行い、画像調整部８７から出力された画像データをモニタ８３の画面に表示している。補正処理部８４で補正処理を実施した後に、目標抽出処理部８５で二値化処理、エッジ抽出、特徴抽出、パターンマッチング等の一般的な目標抽出処理が実施される。
【００３５】
信号処理部８２における目標抽出処理部８５の目標抽出処理において小目標の捜索対象らしさの度合いが判定され、優先順位判定処理８５Ｂにて機体に近い順や度合いの高い順等の情報を元に捜索順位を求め、その捜索順位を元にシンボル割付処理部８５Ａでシンボル割付処理を行い、補正処理部８４の出力画像信号と、日時、機体および装置の情報等と、シンボル割付処理部８５Ａからの出力とを重畳して、小目標近傍にそれぞれのシンボル情報を付してカラーモニタ８３の画面上に表示する。
【００３６】
次に、捜索対象らしき小目標がモニタ画面上に多数映し出された場合に、乗員がそれらすべての小目標に対して捜索対象か非対象かを判定し、捜索する優先順位を決定し、それに従って捜索開始し飛行するまでにはかなりの時間を要するので、上述した捜索乗員支援表示に加えて、捜索優先順位情報を表示することによって捜索時間の短縮を図る方法について以下に説明する。
【００３７】
図９は図８に示すモニタ画面で捜索を行う乗員の負荷を軽減するための表示の例を示す図であり、（Ａ）は優先順位の高い順に捜索をする指示（矢印）が表示される例を示す図であり、（Ｂ）は優先順位を数値にて表す例を示す図である。
図９の（Ａ）に示す表示例では、優先順位の高い順に捜索をする指示（矢印）が表示されている。ここでは優先順位の高い順に異なる色を用いている。
図９の（Ｂ）に示す表示例では、優先順位を数値（１、２、３、４、５）にて表している。
【００３８】
上記捜索優先順位情報の表示によれば、捜索乗員支援表示における捜索優先順位表示をすることにより、従来はモニタ画面に映し出された捜索対象を自己判断でくくまなく捜索することでかかっていた捜索時間を短縮することが可能となる。
【００３９】
（付記１）
航空機に搭載された装置を用いて、航路上に沿ってスキャニングしながら海面に浮遊する小目標を捜索する海面上の小目標捜索支援方法において、
前記装置と接続された出力装置により、小目標の位置と前記航空機の位置との距離差に応じて音の強弱及び間隔のいずれかまたは両方を変化させて出力することを特徴とする海面上の小目標捜索支援方法。
【００４０】
（付記２）
航空機に搭載された装置を用いて、航路上に沿ってスキャニングしながら海面に浮遊する小目標を捜索する海面上の小目標捜索支援方法において、
前記装置と接続された出力装置により、小目標の位置と前記航空機との位置の距離差に応じて振動の強弱及び間隔のいずれかまたは両方を変化させて出力することを特徴とする海面上の小目標捜索支援方法。
【００４１】
（付記３）
航空機に搭載された装置を用いて、航路上に沿ってスキャニングしながら海面に浮遊する小目標を捜索する海面上の小目標捜索支援方法において、
前記装置と接続された出力装置により、小目標の位置と前記航空機との位置の距離差に応じて光の強弱及び点滅間隔のいずれかまたは両方を変化させて出力することを特徴とする海面上の小目標捜索支援方法。
【００４２】
（付記４）
前記出力装置による出力を、前記小目標の位置と前記航空機の位置との距離差に代えて、前記小目標の温度と該小目標の周囲の温度との間の温度差に応じて変化させる、
付記１乃至３の何れか一つに記載の小目標捜索支援方法。
【００４３】
（付記５）
航空機に搭載された装置を用いて、航路上に沿ってスキャニングしながら海面に浮遊する小目標を捜索する海面上の小目標捜索支援のために用いられるプログラムであって、
コンピュータに、
前記装置と接続された出力装置により、小目標の位置と前記航空機の位置との距離差に応じて音の強弱及び間隔のいずれかまたは両方を変化させて出力するよう実行させることを特徴とするプログラム。
【００４４】
（付記６）
航空機に搭載された装置を用いて、航路上に沿ってスキャニングしながら海面に浮遊する小目標を捜索する海面上の小目標捜索支援のために用いられるプログラムであって、
コンピュータに、
前記装置と接続された出力装置により、小目標の位置と前記航空機との位置の距離差に応じて振動の強弱及び間隔のいずれかまたは両方を変化させて出力するよう実行させることを特徴とするプログラム。
【００４５】
（付記７）
航空機に搭載された装置を用いて、航路上に沿ってスキャニングしながら海面に浮遊する小目標を捜索する海面上の小目標捜索支援のために用いられるプログラムであって、
コンピュータに、
前記装置と接続された出力装置により、小目標の位置と前記航空機との位置の距離差に応じて光の強弱及び点滅間隔のいずれかまたは両方を変化させて出力するよう実行させることを特徴とするプログラム。
【００４６】
（付記８）
航空機に搭載された装置を用いて、航路上に沿ってスキャニングしながら海面に浮遊する小目標を捜索する海面上の小目標捜索支援装置において、
前記装置と接続され、小目標の位置と前記航空機の位置との距離差に応じて音の強弱及び間隔のいずれかまたは両方を変化させて出力する出力装置を備えたことを特徴とする海面上の小目標捜索支援装置。
【００４７】
（付記９）
航空機に搭載された装置を用いて、航路上に沿ってスキャニングしながら海面に浮遊する小目標を捜索する海面上の小目標捜索支援装置において、
前記装置と接続され、小目標の位置と前記航空機との位置の距離差に応じて振動の強弱及び間隔のいずれかまたは両方を変化させて出力する出力装置を備えたことを特徴とする海面上の小目標捜索支援装置。
【００４８】
（付記１０）
航空機に搭載された装置を用いて、航路上に沿ってスキャニングしながら海面に浮遊する小目標を捜索する海面上の小目標捜索支援装置において、
前記装置と接続され、小目標の位置と前記航空機との位置の距離差に応じて光の強弱及び点滅間隔のいずれかまたは両方を変化させて出力する出力装置を備えたことを特徴とする海面上の小目標捜索支援装置。
【図面の簡単な説明】
【００４９】
【図１】本発明の第１実施形態に係る赤外線撮像装置の概略ブロック構成図である。
【図２】本発明の第２実施形態に係る赤外線撮像装置の概略ブロック構成図である。
【図３】本発明の第３実施形態に係る赤外線撮像装置の概略ブロック構成図である。
【図４】本発明の第１〜３実施形態に係る赤外線撮像装置における信号処理部によるモニタ画面の表示処理の第１具体例を説明するブロック構成図である。
【図５】図４に示すモニタ画面で捜索を行う乗員の負荷を軽減するための白黒表示の例を示す図であり、（Ａ）は小目標の捜索対象らしさの度合いが高い程円の大きさが大きく表示される例を示す図であり、（Ｂ）は小目標の捜索対象らしさの度合いが高い程棒の長さが長く表示される例を示す図であり、（Ｃ）は小目標の捜索対象らしさの度合いを数値で表示される例を示す図である。
【図６】図４に示すモニタ画面で捜索を行う乗員の負荷を軽減するための白黒表示の例を示す図であり、（Ａ）は小目標の捜索対象らしさの度合いが高い程円の大きさが大きく表示される例を示す図であり、（Ｂ）は小目標の捜索対象らしさの度合いが高い程棒の高さが高く表示される例を示す図であり、（Ｃ）は小目標の捜索対象らしさの度合いを数値で表示される例を示す図である。
【図７】図４に示すモニタ画面で捜索を行う乗員の負荷を軽減するための白黒表示の例を示す図であり、小目標の捜索対象らしさの度合いが異なる形状で表示される例を示す図である。
【図８】本発明の第１〜３実施形態に係る赤外線撮像装置における信号処理部によるモニタ画面の表示処理の第２具体例を説明するブロック構成図である。
【図９】図８に示すモニタ画面で捜索を行う乗員の負荷を軽減するための表示の例を示す図であり、（Ａ）は優先順位の高い順に捜索をする指示（矢印）が表示される例を示す図であり、（Ｂ）は優先順位を数値にて表す例を示す図である。
【図１０】航空機に搭載された一般的な赤外線撮像装置のモニタ画面を示す図である。
【符号の説明】
【００５０】
１０、２０、３０、４０、    赤外線撮像装置（赤外線カメラ）
１１、２１、３１、４１、８１    撮像部
１２、２２、３２、３２、８２    信号処理部
１３、２３、３３、４３、８３    モニタ
１８    音信号変換部
２８    振動信号変換部
３８    光信号変換部
【図１】
2008032650.tif 000003
【図２】
2008032650.tif 000004
【図３】
2008032650.tif 000005
【図４】
2008032650.tif 000006
【図５】
2008032650.tif 000007
【図６】
2008032650.tif 000008
【図７】
2008032650.tif 000009
【図８】
2008032650.tif 000010
【図９】
2008032650.tif 000011
【図１０】
2008032650.tif 000012